(57)【要約】【課題】  維持管理の手間を省き、ヒトの侵入（立ち入り）に対して確実に音を発することができるマットを提供する。【解決手段】  本発明のマット１０は、面状のマットであって、圧力を受けて音を発生する音発生部３を備え、マットに渡って排水機能を備える排水部５を有することを特徴とする。【選択図】        図１
2009122896.tif 000002
【特許請求の範囲】
【請求項１】
面状のマットであって、
圧力を受けて音を発生する音発生部を備え、
前記マットに渡って排水機能を備えることを特徴とする、マット。
【請求項２】
前記音発生部と、排水機能を備える部分とが、交互に配置されているか、排水機能を分担するスペースを形成するように前記音発生部がネット状に配置されているか、またはマットを貫通する小孔が前記マットに渡って位置し、該小孔の周りに前記音発生部が位置することを特徴とする、請求項１に記載のマット。
【請求項３】
前記マットが任意の形状に切断可能な材料で形成されていることを特徴とする、請求項１または２に記載のマット。
【請求項４】
前記マットが建物の所定領域を覆う定形の定置物であり、前記音発生部が、マットにおける頻繁歩行区域外に配置されていることを特徴とする、請求項１に記載のマット。
【請求項５】
前記マットがカビ等の発生・増殖を防止する抗菌性の素材で形成されているか、または抗菌剤を備えることを特徴とする、請求項１〜４のいずれかに記載のマット。
【請求項６】
遮光率を高めるなどの防草性能を備えることを特徴とする、請求項１〜５のいずれかに記載のマット。
【請求項７】
周囲と同化する色彩、模様を付した、前記マットを覆う排水機能付きフィルムを備え、当該排水機能付きマットを着脱自由に取り付けることができることを特徴とする、請求項１〜６のいずれかに記載のマット。
【請求項８】
前記排水機能付きフィルムが、被覆される前記マットへの抗菌作用を及ぼす材料を含むことを特徴とする、請求項７に記載のマット。
【請求項９】
石材、コンクリートブロック、タイルもしくは人工芝などの景観資材、または芝、セダムなどの緑化植物と組み合わせたことを特徴とする、請求項１〜８のいずれかに記載のマット。
【発明の詳細な説明】
【技術分野】
【０００１】
本発明は、公共建築物（病院、学校、官公庁建物）、商業ビル、住居等における隣接する建築物との間、マンションのベランダ、家屋の入口、窓等へのヒトの侵入に対して、音を発生する防犯用のマットに関するものである。
【背景技術】
【０００２】
近年の犯罪情勢の悪化は、国民の社会意識にも大きな影響を与えており、内閣府が平成１８年に実施した「社会意識に関する世論調査」では、悪い方向に向かっている分野について、「治安」を選択した比率が全体の３８．３％と最も高かった。また、内閣府が平成１６年７月に実施した「治安に関する世論調査」において、自分や身近な人が被害に遭うかもしれないおそれがある犯罪類型に、殺人、強盗等の凶悪な犯罪よりも、空き巣やひったくりなどの窃盗等の身近な犯罪のおそれをあげた比率が高かった。これにより身近で発生するおそれがある犯罪の増加が平穏な日常生活を脅かし、社会不安を増大させていることがうかがえる。
【０００３】
身近な犯罪のうち、住居への侵入事件は凶悪犯罪につながる可能性が高く、国民の関心は非常に高いものがある。鳥取県警ホームページによれば、住宅への侵入・窃盗事件における侵入口については、総件数５０６件のうち、約３００件（約６０％）程度が窓やその他の出入り口からの侵入であり、１３８件（約２７％）が表出入口から、また不明が６６件（約１３％）である。この住宅への侵入口の解析結果は、表出入口以外の窓やベランダなどの侵入口からの侵入を何らかの方法で防ぐか、困難性を増すことができれば、住居侵入発生件数を大きく減らすことができることを示している。
【０００４】
上記の侵入口の解析とは関係なく、従来、ベランダや建物・テント等の開口部や周囲等への侵入者に対し、音で警告を発する防犯シートが提案されている（特許文献１、２）。これらの防犯シートは、キャンプ等でテントを張る際、海岸で場所を確保して余暇を楽しむ際等に、侵入者に無防備にならないように用いられる。また、ベランダや建物・テントの開口部等への侵入者に対しては音を発して威嚇し、建物内の住居人には警告を与えることができる。このため、水に強く、何度でも使用可能であり、不要な際には撤去、保管、運搬することが容易なものとしている。また、音発生ではなく、粘着性層を表面に設け、粘着することで侵入者の逃亡の障害となるマットにおいても、夜間の侵入危険時間帯を過ぎたら撤去しやすいように剥離板をはさむように折り畳むことができるものが提案されている（特許文献３）。上記の３件のマットは、当然のことであるが、危険時間帯を過ぎたら、日常生活に支障をきたさないように、撤去、運搬しやすいことを一つの重要な目標としている。
【特許文献１】特開２００６−２９３９５４号公報
【特許文献２】特開２００５−２５１１４０号公報
【特許文献３】特開２００１−１５５２６４号公報
【発明の開示】
【発明が解決しようとする課題】
【０００５】
上記の防犯シートは、しかしながら、上記の鳥取県警の侵入口の解析結果を考慮に入れて開発したものではないため、手軽さ、撤去・運搬・保管の容易性、耐久性を重視し、住居侵入を確実に防ぐということに十分な配慮がなされていない。住居侵入は、それほど頻繁に起こるわけではなく、非常に長い時間のうちの一瞬に起こる現象である。上記の防犯シートは長期間、同一位置に配置されるという点についての配慮（定置物の配慮）はほとんどなく、音を発生したり、粘着するため、危険時間を過ぎると撤去して日常生活に支障をきたさないようにすることに大きな力点が置かれている。このように、定置物に対する配慮がないことが一要因と推測されるが、上記の防犯シートの実用化はほとんど進んでいない。
【０００６】
本発明の侵入防止マットは、普段の利用者（住居者）が足を踏み入れることが稀な場所であって、上記の侵入経路において避けて通れない箇所に、定置することを主要な用途とする。このような用途においては、維持管理の手間を省き、確実に音を発生する、ことが重要である。そこで、本発明は、維持管理の手間を省き、ヒトの侵入（立ち入り）に対して確実に音を発することができるマットを提供することを目的とする。
【課題を解決するための手段】
【０００７】
本発明のマットは、面状のマットであって、圧力を受けて音を発生する音発生部を備え、マットに渡って排水機能を備えることを特徴とする。
【０００８】
上記の構成により、普段、住居人が立ち入ることが少ない場所にマットを定置した場合に、排水機能を備えるため維持管理が不要になり、たとえば菌類やカビ等の増殖等を防止することができる。この結果、維持管理することなく、電池切れや停電への配慮なしに確実に、長期間、所定の位置に配置された状態で、人の侵入について音で警告し、かつその音で侵入者の不意をうち逃げ出させるケースも発生させることができる。なお、「マットに渡って排水機能を備える」とは、マットのすべての位置で排水機能を備える必要はなく、マット全体に渡ってという程度の意味合いである。
【０００９】
音発生部と、排水機能を備える部分とが、交互に配置されているか、排水機能を分担するスペースを形成するように前記音発生部がネット状に配置されているか、またはマットを貫通する小孔がマットに渡って位置し、該小孔の周りに前記音発生部が位置するような構成にしてもよい。この構成により、排水部分と音発生部とをマット全面にわたって配置することができる。
【００１０】
マットは任意の形状に切断可能な材料で形成されるのがよい。これによって、普段、住居人があまり足を踏み入れない場所に合わせて、マットを切断して配置することができる。
【００１１】
上記のマットが建物の所定領域を覆う定形の定置物であり、音発生部が、マットにおける頻繁歩行区域外に配置されるようにしてもよい。これによって、たとえばベランダ用のマットを購入したまま、手間をかけずに定置して、日常生活に支障をきたすことなく、かつ侵入者への備えをすることができる。また、たとえば矩形の用地、建物沿いでも無駄なスペースをとらずに設置することができる。定形とは、販売されるマットが所定領域にそのまま適合していればどのような形状でもよく、矩形、楕円、半円、円形、これらの組み合わせなど、どのような形状でもよい。
【００１２】
上記のマットはカビ等の発生・増殖を防止する抗菌性の素材で形成されているか、または抗菌剤を備えていてもよい。これによって、非常に菌類が発生しやすい場所であっても、維持管理なしで、確実に菌類やカビ等の発生・増殖を防止して、マットが菌類・カビ等で覆われて音発生に支障をきたすことがないようにできる。
【００１３】
また、遮光率を高めるなどの防草性能を備えていてもよい。この場合、遮光率を高めるなどしてある防草シートと組み合わせたものでもよい。これによって、公共施設などで、雑草の繁茂を防止することが必要な場所で、上記の性能を備えたマットを定置できる。
【００１４】
周囲と同化する色彩、模様を付した、マットを覆う排水機能付きフィルムを備え、当該排水機能付きマットを着脱自由に取り付けることができる構成をとることができる。これによって、たとえば茶色の地面上に配置する場合、灰色のコンクリート上に配置する場合、雑草が茂る場所等に応じて、それぞれ茶色、灰色、緑色の排水機能付きフィルムを配置して、侵入者にそれと気づかれるのを防止することができる。
【００１５】
上記の排水機能付きフィルムが、被覆されるマットへの抗菌作用を及ぼす材料を含んでもよい。これによって、マットが抗菌剤を含むか否かを問わず、マットへの菌類・カビ等の付着・増殖を防止することができ、維持管理フリーで、侵入者警告音の発生を持続して保持することができる。
【００１６】
石材、コンクリートブロック、タイルもしくは人工芝などの景観資材、または芝、セダムなどの緑化植物と組み合わせたマットとしてもよい。これによって、景観を良くした上で、音が発生するマットが配置されていると察知されにくくすることができ、カモフラージュ効果を得ることができる。
【発明の効果】
【００１７】
本発明のマットによれば、維持管理の手間を省き、ヒトの侵入（立ち入り）に対して確実に音を発することができる。
【発明を実施するための最良の形態】
【００１８】
（実施の形態１）
図１は、本発明の実施の形態１におけるマット１０を示す図である。図１に示すマット１０には、人が踏み込むと音を発生する音発生部３と、排水機能を備える排水部５とが交互に、市松模様状に配置されている。音発生部３は、任意の音発生機構を有するマット材とすることができ、複合積層構造でうぐいす張りのように層間のズレにより音を発生する機構、微小笛付き空気袋を多数配置して、圧力を受けての空気吐き出しの際に微小笛が音を発する機構などを用いることができる。小さな圧力で、音をむやみに発生しないように、成人の踏み込みによって音を発することができるように、発生する音圧レベルと踏み込み圧力との関係を調整することができる。
【００１９】
音発生部３は、マット１０内の任意の位置における成人の踏面内に位置する密度で配置することができる。これによって少なくともマット上の任意の場所に踏み込んだとき警報音を発生させることができる。音発生部３は、排水部５がマット全面にわたって設けられるので排水機能を備えなくてもよいが、音発生部３自体が排水機能を備えるほうが、マット全面にわたって隈なく行われ、すなわちどの地点でも排水が行われるので好ましい。
【００２０】
排水機能は、材料自体に本来、排水機能が備わっているものを用いる場合には、その材料の配置部分が排水部５を形成する。材料自体に排水機能が備わっていない場合には、図２に示すようにネット状に音発生部３を設け、他の部分は空間、すなわち排水スペース５としてもよい。また、図３に示すように、微小な孔をあけて排水機能を持つように構成したものであってもよい。図３は、貫通孔５ａの周囲に音発生部３を配置した構成のマット１０を示す。音発生部３と隣の音発生部との間に、貫通間隙５ｂが生じる場合には、この貫通間隙５ｂも排水部５に含めることができる。
【００２１】
図４は、マット１０を定置する場所の例を示す図である。マット１０は、図４に示すように窓３１の真下に定置して、侵入者の踏み込みがあれば、警報の音を発するようにする。また、他の定置場所の例として、図５に示すようにアパートまたはマンションのベランダまたはバルコニー３５がある。この場合、住居人が頻繁に歩く範囲にはマット１０を配置せず、たとえば、図５に示す位置に配置するのがよい。図５では、住居室２１とベランダまたはバルコニー３５とを画する引き戸３７の直近の足もとおよび鍵部足もと１０ｇ、隣家との境部分３６と手すり３３とが交差するコーナ部１０ｈ、手すり足もと１０ｉなどに、マット小片を定置することができる。これらはマット小片１０ｇ，１０ｈ，１０ｉは、いずれもマットであり、各マット小片に渡って音発生部３が配置され、かつ排水機能を有する。これらのマット小片は、より大きなサイズのマットから切り出される。このため、マット１０は、任意の形状にはさみ等で切断できる材料で形成するのがよい。
【００２２】
上記のマット１０は排水機能をマット全面にわたって備えるので、とくに抗菌剤をマットに含ませなくてもよい。しかし、抗菌剤を含ませることにより、菌類・カビ等の発生しやすい環境に定置されても、維持管理なしに、より確実に菌類等の発生・増殖を防止することができる。
【００２３】
本実施の形態におけるマット１０によれば、維持管理なしに、長期間、定置しても、カビや菌類の発生・増殖を防止しながら、侵入者の立ち入りを音発生によって住居人に知らせ、侵入者に不意打ちを食わせることができる。一般に、侵入者の立ち入り等は、想定外の状態において発生することが多い。たとえば電池切れ、停電などの場合に発生するおそれも除外できない。本発明の実施の形態におけるマットによれば、電池切れや停電等について危惧することなく、いつでも侵入者の立ち入りを音で知らせることができる。
【００２４】
（実施の形態２）
図６は、本発明の実施の形態２におけるマットを示す図である。本実施の形態におけるマット１０は、ベランダ用の定形の一枚物のマット１０である。音発生部は、一枚物のマットの、引き戸直近部分３ｇ、隣との境界壁直近部分３ｈ、手すり直下部分３ｉなどに配置されている。中央に歩行頻繁部分１０ｆがあり、この部分１０ｆでは音を発生しない。
【００２５】
本実施の形態におけるマット１０によれば、定形のマットを購入してそのまま定置すればよいので、手間がかからず、日常出入りの頻繁な部分では音を発生しないので日常生活に支障をきたすことはない。そして手すり直下部３ｉ、隣との境界壁付近３ｈ、引き戸の鍵付近３ｇでは、音を発生するので、侵入者に対して十分な対処をすることができる。さらに、排水機能および抗菌作用を備えさせることにより、菌類・カビ等の発生・増殖を防止してメンテナンススリーとすることができる。
【００２６】
（実施の形態３）
図７は、本発明の実施の形態３におけるマットを示す図である。本実施の形態におけるマット１０は、周囲と同化する色彩、模様を付した排水機能付きフィルム１１が取り付けられている点に特徴を有する。マット本体１０ｂおよび排水機能付きフィルム１１には、それぞれ取り付け具１０ａ，１１ａが設けられている。この排水機能付きフィルム１１は、マット本体１０ｂを覆っており、かつ排水機能を有する。排水機能付きフィルム１１の排水機能は、小孔が全面にわたって設けられるだけであってもよい。
【００２７】
これによって、たとえば図４に示す窓直下の地面が芝生等で覆われている場合、芝の色彩、模様を付したものとすることができる。またベランダに配置する場合には、ベランダの色調等に合わせた模様を付することができる。この結果、侵入者がそれと見分けることが容易にできず、侵入者に気づかれずに侵入者が踏み込む状況を作り出すことができる。その結果、侵入者は不意打ちをくらい、あわてて逃げ出すケースを生じ、住居人が直ちに気づくところとなる。
【００２８】
上記の排水機能付きフィルム１１は、マット本体１０ｂの抗菌剤の有無によらず、マット本体１０ｂに抗菌作用を及ぼす抗菌剤を含んでいてもよい。菌類・カビ類の発生・繁殖を防止することができるからである。
【００２９】
（実施の形態４）
図８は、本発明の実施の形態４における防草機能を有するマットを例示する図である。地盤４３上に、防草効果を有するマット１０を配置している。この場合、本発明のマットはもともと排水性能を備えており、遮光率を上げるなどして防草に対する効果を高めた素材を用いることで雑草の繁殖を防止する効果をもたらす。景観に配慮するために、図９に示すように、上記のマット１０の上に土や砂利等の覆土４４をかけて使用する場合においても、防草効果を持たせることで維持管理を容易にすることができる。
【００３０】
（実施の形態５）
図１０（ａ）は、石材、コンクリートブロック、タイルもしくは人工芝などの景観資材４５とマット１０とを組み合わせたものを、また、図１０（ｂ）は、芝、セダムなどの緑化植物４７とマット１０とを組み合わせたものを示す。通常、住居など建物５１のアプローチ等に配置される。このように組み合わせた形態のマットも、本発明のマットに含まれる。組み合わせたマットは、景観を向上させた上で、音を発生するマットが配置されることをカモフラージュすることができる。この場合のマット１０も、実施の形態４と同様に、防草効果を持たせることで維持管理を容易にすることができる。
【００３１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３２】
本発明のマットは、一般家庭、ビル、公共施設等に定置することにより、メンテナンス、電池切れ、停電等への懸念無く、侵入者の無断立ち入りの際に侵入者に不意打ちを食わせる音を発生して犯罪を未然に防止する可能性を高めるとともに、侵入者の存在を他のヒトに知らせることができるので、安価な投資で施設やヒトを侵入者から守ることができる。
【図面の簡単な説明】
【００３３】
【図１】本発明の実施の形態１におけるマットを示す図である。
【図２】本発明の実施の形態１における他のマットを示す図である。
【図３】本発明の実施の形態１におけるさらに他のマットを示す図である。
【図４】マットを定置する場所の例を示す図である。
【図５】マットを定置する別の場所の例を示す図である。
【図６】本発明の実施の形態２におけるマットを示す図である。
【図７】本発明の実施の形態３におけるマットを示す図である。
【図８】本発明の実施の形態４におけるマットを示す図である。
【図９】本発明の実施の形態４における別の使用形態のマットを示す図である。
【図１０】（ａ）は、石材、コンクリートブロック、タイルもしくは人工芝などの景観資材とマットとを組み合わせた組み合わせマットを、また（ｂ）は、芝、セダムなどの緑化植物とマットとを組み合わせた組み合わせマットを示す図である。
【符号の説明】
【００３４】
３  音発生部、３ｇ  マットの引き戸直近部分（音発生部）、  ３ｈ  マットの隣との境界壁直近部分（音発生部）、３ｉ  マットの手すり直下部分（音発生部）、５  排水部、５ａ  貫通孔、５ｂ  貫通間隙、１０  マット、１０ａ  取り付け具、１０ｂ  マット本体、１０ｇ  引き戸直近部分のマット（小片）、  １０ｈ  隣との境界壁直近部分のマット（小片）、１０ｉ  手すり直下のマット（小片）、１０ｆ  頻繁歩行マット部分（音発生しない部分）、１１  排水機能付きフィルム、１１ａ  取り付け部、２１  住居室、３１  窓、３３  手すり、３５  ベランダ（バルコニー）、３６  隣との境界壁、３７  引き戸、３９  ベランダの頻繁歩行区域、４３  地盤、４４  覆土、４５  石材、コンクリートブロック、タイルもしくは人工芝などの景観資材、４７  芝、セダムなどの緑化植物、５１  建物。
【図１】
2009122896.tif 000003
【図２】
2009122896.tif 000004
【図３】
2009122896.tif 000005
【図４】
2009122896.tif 000006
【図５】
2009122896.tif 000007
【図６】
2009122896.tif 000008
【図７】
2009122896.tif 000009
【図８】
2009122896.tif 000010
【図９】
2009122896.tif 000011
【図１０】
2009122896.tif 000012